(57)【要約】【課題】この発明は、装置自体の水平芯出し作業を不要として、かつ、ガイドレールに対する固定部の大型化、高重量化を抑えて、設置作業性を向上させることができるエレベータのピットベース装置を得る。【解決手段】ピットベース装置は、昇降路のピット底面１０ａに配設される主梁１と、主梁１の長手方向の両端部上面にそれぞれ配設され、ガイドレール１１の下端端面が載置されるガイドレール載置面２ａを有する水平調整用座板２と、主梁１の長手方向の両端部にそれぞれ固定されているレール支持体３と、ガイドレール載置面２ａに載置されるガイドレール１１の下端部をレール支持体３に締着固定するレールクリップ８とを備えている。そして、水平調整用座板２は、ガイドレール載置面２ａと、主梁１の両端部上面とのなす角度を調整可能に構成されている。【選択図】図１
2005126217.tif 000002
【特許請求の範囲】
【請求項１】
昇降路のピットに配置され、昇降体の昇降を案内するガイドレールの下端部を支持するエレベータのピットベース装置であって、
上記昇降路のピット底面に配設される主梁と、
上記主梁の相対する両端部上面にそれぞれ配設され、上記ガイドレールの下端端面が載置されるガイドレール載置面を有する水平調整用座板と、
上記主梁の相対する両端部にそれぞれ固定されているレール支持体と、
上記ガイドレール載置面に載置される上記ガイドレールの下端部を上記レール支持体に締着固定する締着手段とを備え、
上記水平調整用座板は、上記ガイドレール載置面と、上記主梁の相対する両端部上面とのなす角度を調整可能に構成されていることを特徴とするエレベータのピットベース装置。
【請求項２】
上記一対のレール支持体が、上記主梁に着脱可能に取り付けられていることを特徴とする請求項１記載のエレベータのピットベース装置。
【発明の詳細な説明】
【技術分野】
【０００１】
この発明は、エレベータのピット内に設置され、ガイドレールの下端部を支持するエレベータのピットベース装置に関するものである。
【背景技術】
【０００２】
従来、ピットベースは一対のレール受け部を一体に組み合わせて構成され、建屋基準に対してガイドレールが正規の位置にくるようにピットベースの位置決めを行い、ガイドレールが鉛直となるようにピットベースのレール受け部に取り付けるようになっていた（例えば、特許文献１参照）。
この従来技術では、ピット床面が傾斜していると、ピットベースが傾斜した状態で設置され、レール受け部のボルト固定孔とガイドレール下端部の固定孔とが合わなくなり、両者を固定できない事態が発生してしまう。そこで、ピットベース自体の水平芯出し作業が必要となるが、ピットベースは大型、かつ、重量物であり、ピットベースの水平芯出し作業が極めて煩雑なものとなってしまっていた。
【０００３】
そこで、一対の受け部のそれぞれに、ガイドレールの下端部を固定する第１の支持部と、この第１の支持部より上方に設けられ、かつ、鉛直方向と直交する方向にガイドレールとの固定位置を変位可能に固定する第２支持部とを備えて形成し、一対の受け部を所定の相対距離を持たせて連結する基部を備えて構成された改良型のピットベースが提案されている（例えば、特許文献２参照）。
この改良型のピットベースにおいては、基部がガイドレールの対向する方向と直交する方向に傾斜した状態でも、第２の支持部がガイドレールの固定位置を変位可能にできるので、ガイドレールを鉛直に立設できるとしている。
【０００４】
【特許文献１】特開平０７−２１５６２５号公報
【特許文献２】特開平１１−０９２０５０号公報
【発明の開示】
【発明が解決しようとする課題】
【０００５】
このように、従来の改良型のピットベースでは、基部の傾斜に起因するガイドレールと第２の支持部との固定位置のずれを、第２の支持部によるガイドレールの固定位置を変えることで吸収し、ガイドレールを鉛直に立設・支持している。そして、ガイドレールが鉛直に立設されているのに対し、基部が傾斜しているので、ガイドレールの下端端面は基部の上面に面接触状態とならず、点もしくは線接触状態で接することになり、基部との接触部を支点として点（線）接触状態から面接触状態に移行する力がガイドレールに作用することになる。そこで、第１および第２の支持部は、鉛直方向におけるガイドレールの荷重を支持するとともに、基部との接触点を支点としてガイドレールを点（線）接触状態から面接触状態に移行させようとする力をも支持する必要がある。その結果、第１および第２支持部の板圧を厚くするなどして、第１および第２支持部の機械的強度を高める必要があり、ピットベースの大型化、高重量化をもたらし、ピットベースの設置作業性を悪化させるという問題がある。
【０００６】
この発明は、主梁の両端部上面に水平調整用座板を備え、主梁の傾斜を水平調整用座板により吸収させて、鉛直に配置されるガイドレールの下端端面を水平調整用座板のガイドレール載置面に面接触状態に支持できるようにし、装置自体の水平芯出し作業を不要として、かつ、ガイドレールに対する固定部の大型化、高重量化を抑えて、設置作業性を向上させることができるエレベータのピットベース装置を得ることを目的とする。
【課題を解決するための手段】
【０００７】
この発明によるエレベータのピットベース装置は、昇降路のピットに配置され、昇降体の昇降を案内するガイドレールの下端部を支持するエレベータのピットベース装置であって、上記昇降路のピット底面に配設される主梁と、上記主梁の相対する両端部上面にそれぞれ配設され、上記ガイドレールの下端端面が載置されるガイドレール載置面を有する水平調整用座板と、上記主梁の相対する両端部にそれぞれ固定されているレール支持体と、上記ガイドレール載置面に載置される上記ガイドレールの下端部を上記レール支持体に締着固定する締着手段とを備え、上記水平調整用座板は、上記ガイドレール載置面と、上記主梁の相対する両端部上面とのなす角度を調整可能に構成されている。
構成されている。
【発明の効果】
【０００８】
この発明によれば、主梁の両端部上面に対するガイドレール載置面の角度を変えることにより、ガイドレール載置面を水平に調整できる。そこで、昇降路のピット面が傾斜していても、水平調整用座板を角度調整することにより、ガイドレール載置面を水平状態に確保できるので、重量物である装置自体の水平芯出し作業を省略できる。また、鉛直に配置されるガイドレールの水平な下端端面は水平調整用座板の水平なガイドレール載置面に面接触状態に支持されるので、点（線）接触状態から面接触状態にガイドレールを移行させようとする力は生じない。そこで、レール支持体に要求される支持強度が過度に大きくならず、レール支持体の大型化および高重量化が抑えられ、設置作業性が向上される。
【発明を実施するための最良の形態】
【０００９】
図１はこの発明の一実施の形態に係るエレベータのピットベース装置によるガイドレール支持状態を示す要部側面図、図２は図１のＩＩ−ＩＩ矢視断面図、図３はこの発明の一実施の形態に係るエレベータのピットベース装置における水平調整方法を説明する図、図４はこの発明の一実施の形態に係るエレベータのピットベース装置による水平調整した際のガイドレール支持状態を示す要部側面図である。
【００１０】
図１および図２において、ピットベース装置は、鋼板を断面コ字状に折り曲げ成形され、昇降路のピット（底部）１０のピット底面１０ａ上に配置される長尺の主梁１と、主梁１の長さ方向の両端部上面にそれぞれ配設される水平調整用座板２と、主梁１の長手方向の両端部に固定される一対のレール支持体３と、ガイドレール１１の下端部をレール支持体３に締着固定する締着手段としてのレールクリップ８とを備えている。
【００１１】
水平調整用座板２は、鋼板で平板状に作製され、その上面がガイドレール載置面２ａを構成している。そして、水平調整用座板２は、ガイドレール載置面２ａを上に向け、固定ボルト１２により、主梁１の長さ方向の両端部上面に締着固定されている。さらに、平板状の薄板からなるハサミガミ９が水平調整用座板２と主梁１との間に介装されている。この時、水平調整用座板２に穿設されている固定ボルト用挿通穴（図示せず）は、固定ボルト１２の雄ねじ部より大径に形成され、水平調整用座板２のガイドレール載置面２ａが固定ボルト１２の雄ねじ部の軸方向に対して傾斜しても、固定ボルト１２の締着固定ができるようになっている。
【００１２】
各レール支持体３は、鋼板で作製され、平板状のレール固定板４と、レール固定板４と直交するように該レール固定板４の下端に溶接等により一体に固定されたピット固定板５と、断面コ字状の主梁１の内形形状に合致する断面コ字状の外形形状に作製され、レール固定板４の一面下部およびピット固定板５の上面に溶接等により一体に固定された主梁固定用の梁６と、レール固定板４およびピット固定板５と直交するように該レール固定板４の他面およびピット固定板５の上面に溶接等により一体に固定された補強板７とを備えている。
【００１３】
つぎに、このピットベース装置を用いたガイドレールの支持について説明する。
まず、ピットベース装置は、主梁１の両端部にレール支持体３を組み付けて出荷される。この時、レール固定板４の一面が主梁１の端部端面に当接するように、梁６が主梁１の各端部に挿入され、固定ボルト１３により主梁１と梁６とを締着固定して、ピットベース装置が組み立てられる。また、水平調整用座板２が固定ボルト１２により主梁１の両端上部に締着固定されている。
そして、現場に搬送されたピットベース装置は、昇降路のピット１０に運び込まれ、ピット底面１０ａ上の所定位置に配置される。ついで、ピット固定板５がピット底面１０ａにアンカーボルト１４により固定される。
【００１４】
そして、ピット底面１０ａの水平状態が確保されていると、主梁１、即ちガイドレール載置面２ａの水平状態が確保される。そこで、図２に示されるように、主梁１の両端部において、鉛直に配設されるガイドレール１１の下端端面をガイドレール載置面２ａに面接触状態に接触させ、レールクリップ８を用いてガイドレール１１の下端部をレール固定板４に締着固定して、ガイドレール１１の支持作業が完了する。
この時、ガイドレール１１とガイドレール載置面２ａとが鉛直方向にずれていると、ガイドレール載置面２ａの水平状態を確保しつつ、主梁１と水平調整用座板２との間に介装されるハサミガミ９の枚数を調整して、該ずれを吸収することになる。
【００１５】
また、ピット底面１０ａの水平状態が確保されていないと、主梁１が傾斜し、ガイドレール載置面２ａの水平状態が確保されない。そこで、固定ボルト１２の締着を緩める。そして、図３の（ａ）に示されるように、水平調整用座板２と主梁１の上面との間に介装されるハサミガネ９の枚数を水平調整用座板２の面内位置で変えて、主梁１の上面に対する水平調整用座板２の角度θを調整し、ガイドレール載置面２ａの水平出しを行う。あるいは、図３の（ｂ）に示されるように、平板状のハサミガミ９と楔状断面のハサミガミ９ａとを組み合わせて水平調整用座板２と主梁１の上面との間に介装し、主梁１の上面に対する水平調整用座板２の角度θを調整し、ガイドレール載置面２ａの水平出しを行う。この時、ハサミガミ９ａの楔状の角度を微小角度に設定しておけば、ハサミガミ９ａの積層枚数を変えることにより、ガイドレール載置面２ａの水平出しが容易に行われる。
そして、ガイドレール載置面２ａの水平出しが終了すると、固定ボルト１２を締着する。ついで、図４に示されるように、主梁１の両端部において、鉛直に配設されるガイドレール１１の下端端面をガイドレール載置面２ａに面接触状態に接触させ、レールクリップ８を用いてガイドレール１１の下端部をレール固定板４に締着固定して、ガイドレール１１の支持作業が完了する。
【００１６】
このように、このピットベース装置では、水平調整用座板２が主梁１の両端部上面に角度調整可能に取り付けられているので、ピット底面１０ａの水平状態が確保されていない場合でも、水平調整用座板２の水平出しを行うだけで、ガイドレール載置面２ａの水平状態を確保することができる。そこで、この水平調整用座板２の水平出し作業は、大型で重量物であるピットベース装置自体の水平出し作業に比べ、作業負荷を著しく軽減できるとともに、作業時間を短縮できる。
また、水平調整用座板２のガイドレール載置面２ａが水平状態に保たれているので、ガイドレール１１の下端端面がガイドレール載置面２ａに面接触状態で支持され、ガイドレール１１を点（線）接触状態から面接触状態に移行させようとする力は生じない。そこで、レール支持体３に要求される支持強度が過度に大きくならず、レール支持体３の大型化および高重量化が抑えられ、設置作業性が向上される。
【００１７】
また、レール支持体３が主梁１の両端部に着脱可能に取り付けられているので、レール支持体３を共通部品として作製・在庫保管し、主梁１のみをエレベータ毎に作製することで、ピットベース装置全体の作製日数を短縮することができる。
【００１８】
なお、上記実施の形態では、レール支持体３が固定ボルト１３により主梁１の両端部に締着固定されているものとしているが、レール支持体３は主梁１の両端部に溶接等により一体に固定されていてもよい。
また、上記実施の形態では、主梁１が断面コ字状の長尺物に作製されているものとしているが、主梁は、その形状に拘わらず、所定間隔を持ってレール支持体が取り付けられ、かつ、水平調整用座板が角度調整可能に取り付けられればよく、例えば平板に作製されていてもよい。
また、この発明は、緩衝器台を構成する梁を主梁として兼用してピットベース装置を構成するようにしてもよい。この場合、主梁１を共通部品として部品点数の削減が図られ、在庫管理が容易となる。
【図面の簡単な説明】
【００１９】
【図１】この発明の一実施の形態に係るエレベータのピットベース装置によるガイドレール支持状態を示す要部側面図である。
【図２】図１のＩＩ−ＩＩ矢視断面図である。
【図３】この発明の一実施の形態に係るエレベータのピットベース装置における水平調整方法を説明する図である。
【図４】この発明の一実施の形態に係るエレベータのピットベース装置による水平調整した際のガイドレール支持状態を示す要部側面図である。
【符号の説明】
【００２０】
１  主梁、２  水平調整用座板、２ａ  ガイドレール載置面、３  レール支持体、８  レールクリップ（締着手段）、９、９ａ  ハサミガミ、１０  ピット、１０ａ  ピット底面、１１  ガイドレール。
【図１】
2005126217.tif 000003
【図２】
2005126217.tif 000004
【図３】
2005126217.tif 000005
【図４】
2005126217.tif 000006